(57)【特許請求の範囲】
【請求項１】
吸気路を介して屋外空気を屋内に供給する吸気手段と、排気路を介して屋内空気を屋外に排出する排気手段と、吸気路と排気路に跨って設けられて加熱されることで放湿を行う吸湿体と、吸湿体を回転駆動する駆動手段と、吸気路の吸湿体よりも上流側に設けられて吸気路を流れる空気を加熱する温水熱交換器と、吸気路の温水熱交換器よりも上流側の空気と排気路を流れる空気の熱交換を行う顕熱交換器と、吸気路の顕熱交換器よりも上流側を屋内に連通させる連通路と、連通路を開閉する開閉弁と、温水熱交換器による加熱を停止した状態で排気手段により屋内空気を屋外に排出すると共に吸気手段により屋外空気を屋内に供給する換気運転時において、吸気手段により温水熱交換器に供給される空気の温度を検知する温度検知手段と、前記換気運転時において温度検知手段で検知した温度が所定温度よりも高い場合には開閉弁を閉じ且つ前記所定温度以下の場合には開閉弁を開く制御手段を備えたことを特徴とするデシカント空調装置。
【請求項２】
前記温度検知手段が、屋外空気の温度を検出する屋外温度検出手段と、屋内空気の温度を検出する屋内温度検出手段と、前記吸気手段により温水熱交換器に供給される空気の温度を換気運転時において屋外温度検出手段で検出した温度と屋内温度検出手段で検出した温度に基づいて検知する制御手段で構成されることを特徴とする請求項１に記載のデシカント空調装置。
【請求項３】
前記温度検知手段は、吸気路における温水熱交換器よりも上流側で且つ連通路よりも下流側に設けられた温度検出手段を備えたことを特徴とする請求項１又は請求項２に記載のデシカント空調装置。
【発明の詳細な説明】
【技術分野】
【０００１】
本発明はデシカント空調装置に関する。
【背景技術】
【０００２】
従来、屋内を換気すると共に屋外から屋内に供給される空気を加湿や除湿して屋内の調湿を行うデシカント空調装置が利用されている。
【０００３】
特許文献１に開示されているデシカント空調装置は、屋内を加湿する加湿型及び屋内を除湿する除湿型の両者共に、屋外空気を吸気路を介して屋内に供給する吸気手段と、屋内空気を排気路を介して屋外に排出する排気手段と、吸気路と排気路に跨って設けられて駆動手段により回転駆動する吸湿体を備えている。
【０００４】
加湿型のデシカント空調装置は、吸気路の吸湿体よりも上流側に温水熱交換器が設けられ、吸気路の温水熱交換器よりも上流側を流れる空気と排気路を流れる空気の熱交換を行う顕熱交換器が設けられている。そして、排気手段により屋内空気を屋外に排出し且つ駆動手段を駆動して回転する吸湿体で屋外に排出される空気からの吸湿を行うと共に、吸気手段により屋外空気を屋内に供給し且つこの屋内に供給される空気を温水熱交換器で加熱し、該空気により吸湿体を加熱して放湿を行い、これにより屋内に供給される空気が加湿される。
【０００５】
また、除湿型のデシカント空調装置は、排気路の吸湿体よりも上流側に温水熱交換器が設けられ、排気路の温水熱交換器よりも上流側を流れる空気と吸気路を流れる空気の熱交換を行う顕熱交換器が設けられている。そして、排気手段により屋内空気を屋外に排出し且つ温水熱交換器により屋外に排出される空気を加熱し、該空気により駆動手段にり回転駆動する吸湿体を加熱して放湿を行うと共に、吸気手段により屋外空気を屋内に供給し且つ吸湿体で屋内に供給される空気からの吸湿を行い、これにより屋内に供給される空気が除湿される。
【０００６】
また、これら加湿型及び除湿型のデシカント空調装置は、前記温水熱交換器による加熱を停止した状態で、排気手段により屋内空気を屋外に排出すると共に吸気手段により屋外空気を屋内に供給することで、加湿や除湿を伴わない換気も行うことができる。
【先行技術文献】
【特許文献】
【０００７】
【特許文献１】特開２００８−１６４２０３号公報
【発明の概要】
【発明が解決しようとする課題】
【０００８】
ところで、前記加湿型のデシカント空調装置にあっては、冬季等において加湿を伴わない換気を行った場合に、氷点下に達した屋外空気が温水熱交換器を通過し、該熱交換器に温水を供給する温水配管内の水が凍結する恐れがある。また、除湿型のデシカント空調装置にあっても、冬季等に加湿を伴わない換気を行った場合には、排気路を流れる屋内空気が顕熱交換器を介して吸気路を流れる低温の空気と熱交換されて氷点下に達し、この空気が温水熱交換器を通過して温水配管内の水が凍結する恐れがあり、いずれの場合も温水配管や温水熱交換器が破損することが懸念される。
【０００９】
この凍結防止対策としては、換気運転時において気温が低下した際に熱交換器を加熱することが考えられるが、この場合は温水熱交換器を加熱するためにランニングコストが増す。また、気温が低下した際に、加湿型にあっては吸気手段を停止したり、除湿型にあっては排気手段を停止したりすることが考えられるが、この場合は吸気手段や排気手段が停止されるので換気能力が低下する。
【００１０】
本発明は前記事情に鑑みてなされたものであって、換気運転時において温水熱交換器に温水を供給する温水配管内の水が凍結することを防止して、温水配管や温水熱交換器の破損を防止でき、しかもランニングコストの増加及び換気能力の低下を抑えることができるデシカント空調装置を提供することを課題とする。
【課題を解決するための手段】
【００１１】
上記課題を解決するために請求項１に係るデシカント空調装置は、吸気路を介して屋外空気を屋内に供給する吸気手段と、排気路を介して屋内空気を屋外に排出する排気手段と、吸気路と排気路に跨って設けられて加熱されることで放湿を行う吸湿体と、吸湿体を回転駆動する駆動手段と、吸気路の吸湿体よりも上流側に設けられて吸気路を流れる空気を加熱する温水熱交換器と、吸気路の温水熱交換器よりも上流側の空気と排気路を流れる空気の熱交換を行う顕熱交換器と、吸気路の顕熱交換器よりも上流側を屋内に連通させる連通路と、連通路を開閉する開閉弁と、温水熱交換器による加熱を停止した状態で排気手段により屋内空気を屋外に排出すると共に吸気手段により屋外空気を屋内に供給する換気運転時において、吸気手段により温水熱交換器に供給される空気の温度を検知する温度検知手段と、前記換気運転時において温度検知手段で検知した温度が所定温度よりも高い場合には開閉弁を閉じ且つ前記所定温度以下の場合には開閉弁を開く制御手段を備えたことを特徴とする。
【００１２】
また、請求項２は請求項１において、前記温度検知手段が、屋外空気の温度を検出する屋外温度検出手段と、屋内空気の温度を検出する屋内温度検出手段と、前記吸気手段により温水熱交換器に供給される空気の温度を換気運転時において屋外温度検出手段で検出した温度と屋内温度検出手段で検出した温度に基づいて検知する制御手段で構成されることを特徴とする。
【００１３】
また、請求項３は請求項１又は請求項２において、前記温度検知手段は、吸気路における温水熱交換器よりも上流側で且つ連通路よりも下流側に設けられた温度検出手段を備えたことを特徴とする。
【発明の効果】
【００１６】
請求項１に係るデシカント空調装置において、加湿運転を行う場合は、吸気手段により屋外空気を屋内に供給すると共に排気手段により屋内空気を屋外に排出し、温水熱交換器で吸気路を流れる空気を加熱し、駆動手段で吸湿体を回転させる。これにより排気路では吸湿体が排気路を流れる空気から吸湿を行う。同時に吸気路では、吸気路を流れる空気が温水熱交換器で加熱された後、吸湿体を通過して吸湿体を加温し、この際に吸湿体から吸気路を流れる空気に対して放湿がなされ、これによって屋内が加湿される。そして、前記加湿を伴わない換気運転時において温度検知手段で検知した温度が所定温度以下になった場合には、連通路に設けられた開閉弁が開かれて、屋内空気が連通路を介して吸気路に供給され、吸気路を流れる空気と混合される。これによって、吸気路を流れる低温の空気は、連通路から供給された高温の屋内空気と混合されて、比較的温度の高い空気となり、この後、下流側の温水熱交換器を通過する。このため、吸気路を流れる低温の空気による冷却によって温水熱交換器に温水を供給する温水配管内の水が凍結することを防止でき、温水配管や温水熱交換器の破損を防止できる。また、このように換気運転時において温度検知手段で検知した温度が所定温度以下になった場合に、連通路に設けられた開閉弁を開いて吸気路に屋内空気を供給することで凍結を防止するので、温水熱交換器を加熱して凍結を防止するものと比較してランニングコストの増加を抑えることができる。また、この時には吸気手段による屋外空気の屋内への供給を継続して行うことができるため、換気能力の低下を抑えることもできる。
【００１７】
また、請求項２にあっては請求項１の効果に加えて、前記温水熱交換器に供給される空気の温度を換気運転時において屋外温度検出手段で検出した温度と屋内温度検出手段で検出した温度に基づいて検知できる。また、屋外温度検出手段や屋内温度検出手段は、例えば季節の変化を判断したりデシカント空調装置において結露が生じやすい状態であるか否かを判断する際に用いることができる。従って、屋外温度検出手段の検出結果や屋内温度検出手段の検出結果に基づいて換気運転と加湿運転の切換えを行うデシカント空調装置等にあっては、屋外温度検出手段や屋内温度検出手段を有効に利用して前記温水熱交換器に供給される空気の温度を検知できる。
【００１８】
また、請求項３にあっては請求項１又は請求項２の効果に加えて、換気運転時に連通路の開閉弁が開かれた際に、温度検出手段により、連通路から供給された屋内空気と混合された後の吸気路を流れる空気の温度を検出し、この検出結果から吸気手段により温水熱交換器に供給される空気の温度を正確に検知でき、制御手段により正確に開閉弁の開閉を制御できる。
【図面の簡単な説明】
【００２１】
【図１】本発明の実施形態のデシカント空調装置を示す説明図である。
【図２】同上のデシカント空調装置のブロック図である。
【図３】参考例のデシカント空調装置を示す説明図である。
【発明を実施するための形態】
【００２２】
以下、本発明を添付図面に基づいて説明する。
【００２３】
（実施形態）図１及び図２に示される本実施形態のデシカント空調装置は加湿型であって、屋内を換気すると共に屋外から屋内に供給される空気を加湿して屋内を加湿する加湿運転と、加湿を伴わない換気運転とを切り換えて行うものである。
【００２４】
本実施形態のデシカント空調装置は、空調装置本体１と、空調装置本体１に接続される熱源機１５を備えている。空調装置本体１の外郭は箱型のケーシング２からなる。ケーシング２の一側壁の片側には屋内に通じる外気吹出口３が設けられ、同側壁の他側には屋内に通じる内気吸込口４が設けられている。ケーシング２の反対側の側壁の片側には屋外に通じる内気吹出口５が設けられ、同側壁の他側には屋外に通じる外気吸込口６が設けられている。ケーシング２内には、外気吸込口６と外気吹出口３を接続する吸気路７と、内気吸込口４と内気吹出口５を接続する排気路８が形成され、これら吸気路７及び排気路８は互いに独立し、ケーシング２内を隔壁等で仕切ることにより形成されている。
【００２５】
吸気路７の外気吹出口３側の端部には、屋外空気を外気吸込口６から吸気路７に吸い込んで外気吹出口３から屋内に供給する吸気用ファンからなる吸気手段９が設けられている。排気路８の内気吹出口５側の端部には、屋内空気を内気吸込口４から吸い込んで内気吹出口５から屋外に排出する排気用ファンからなる排気手段１０が設けられている。
【００２６】
吸気路７における吸気手段９の上流側と、排気路８における排気手段１０の上流側には、互いに隣接して吸気路７の空気の流れ方向と排気路８の空気の流れ方向とが逆向きとなる平行な部分１８、１９が存在している。
【００２７】
ケーシング２内には吸気路７の部分１８と排気路８の部分１９に跨る吸湿体１３が設けられている。吸湿体１３は、円柱状で軸心方向に通気可能なハニカム構造の基材にシリカゲルやゼオライト粉末等の乾燥剤が担持されたローターからなり、吸湿体１３を通過する空気に含まれる水分（水蒸気）を吸着する吸湿性を有すると共に、加熱されることで前記吸着した水分を放出して吸湿性を再生させる再生機能を有する。吸湿体１３は、基材の軸心方向が部分１８、１９における空気の流れ方向と平行になるよう配設されている。
【００２８】
ケーシング２には吸湿体１３を軸心回りに回転させる駆動手段１４（図２参照）が設けられている。図示は省略するが、駆動手段１４はギヤを介して吸湿体１３を回転させるモーターで構成されている。
【００２９】
吸気路７の吸湿体１３よりも上流側には、吸気路７を流れる空気を加熱する温水熱交換器１６が設けられている。温水熱交換器１６は温水配管１７を介して熱源機１５に接続され、熱源機１５の駆動により温水配管１７内を循環する熱媒体としての温水と吸気路７を流れる空気との間で熱交換を行い、吸気路７を流れる空気を加熱する。温水配管１７には熱源機１５から温水熱交換器１６側への温水の供給の有無を開閉により切り換える弁２１が設けられている。
【００３０】
ケーシング２内には、吸気路７の温水熱交換器１６よりも上流側の箇所と、排気路８の吸湿体１３よりも上流側の箇所とに跨る顕熱交換器２０が設けられ、この顕熱交換器２０にて吸気路７側の空気と排気路８側の空気が熱交換される。吸気路７及び排気路８の夫々の上流側端部には除塵用のフィルター１１、１２が設けられている。
【００３１】
ケーシング２には、吸気路７の温水熱交換器１６よりも上流側を屋内に連通させる連通路２３と、連通路２３を開閉する開閉弁２４（図２参照）と、屋外空気の温度を検出する屋外温度検出手段２５と、屋内空気の温度を検出する屋内温度検出手段２６が設けられている。
【００３２】
連通路２３は、一端開口が吸気路７における温水熱交換器１６よりも上流側で且つ顕熱交換器２０よりも下流側に設けられると共に、他端が天井裏や廊下等に設置された換気口、あるいは内気吸込口４等に通じている。従って、開閉弁２４を開いた状態で吸気手段９を運転することで、天井裏の屋内空気が連通路２３を介して吸気路７に供給されるようになっている。
【００３３】
屋外温度検出手段２５は、吸気路７の顕熱交換器２０よりも上流側且つフィルター１１よりも下流側に設けられた温度センサーからなり、屋内温度検出手段２６は、排気路８の吸湿体１３よりも上流側且つフィルター１２よりも下流側に設けられた温度センサーからなる。
【００３４】
空調装置本体１には、吸気手段９、排気手段１０、駆動手段１４、弁２１、及び開閉弁２４を制御する制御手段２２が設けられている。
【００３５】
空調装置本体１は例えば住宅の天井裏等に設置され、外気吸込口６が屋外に通じる外気導入用ダクトに接続され、外気吹出口３が空調対象となる屋内の部屋に通じる吸気ダクトに接続され、内気吸込口４が天井裏や屋内の廊下等に通じる排気ダクトに接続され、内気吹出口５が屋外に通じる外気導出用ダクトに接続される。
【００３６】
加湿運転や換気運転は図示しない操作部を操作すること又は制御手段２２により自動で切り換えられる。制御手段により自動で切り換える場合の例としては、屋外温度検出手段２５や屋内温度検出手段２６によって検出した温度に基づいて季節の変化やデシカント空調装置において結露が生じやすい状態であるか否かを判定し、この判定結果に応じて加湿運転と換気運転を切り換えることが挙げられる。
【００３７】
加湿運転の場合、制御手段２２は、開閉弁２４を閉じた状態で、吸気手段９を運転して屋外空気を吸気路７を介して屋内に供給すると共に排気手段１０を運転して屋内の空気を排気路８を介して屋外に排出し、また、弁２１を開いて熱源機１５を駆動すると共に駆動手段１４で吸湿体１３を低速で回転させる。
【００３８】
この加湿運転時において排気手段１０により内気吸込口４及びフィルター１２を介して排気路８に導入された屋内空気は、吸湿体１３の排気路８に露出した部分を通過して除湿される。次いで顕熱交換器２０で吸気路７を流れる空気と熱交換され、この後、内気吹出口５から屋外に排出される。
【００３９】
一方、加湿運転時において吸気手段９により外気吸込口６及びフィルター１１を介して吸気路７に導入された屋外空気は、まず顕熱交換器２０を通過する。一般的に加湿運転は空気が乾燥する冬季に行われ、吸気路７に導入される屋外空気の温度は排気路８に導入される屋内空気よりも低くなる。このため、前記顕熱交換器２０を通過する空気は通常加温される。続いて顕熱交換器２０を通過した空気は温水熱交換器１６を通過し、この際に温水熱交換器１６により温水配管１７を循環する温水と熱交換され、加熱される。次いでこの加熱された空気は低速で回転する吸湿体１３の吸気路７に露出した部分を通過する。この際、吸湿体１３は加熱された空気によって加温され、これにより吸湿体１３は前記排気路８を流れる空気から吸着した水分を吸気路７を流れる空気に放出する。そして、このように吸湿体１３の放湿により加湿された空気が外気吹出口３から屋内側に吹き出され、これによって屋内が加湿されると共に換気される。
【００４０】
この加湿運転時における吸湿体１３は、その回転に伴い、排気路８を流れる空気に含まれる水分を取り込んだ部分が吸気路７側に移動して、温水熱交換器１６で加熱された吸気路７を流れる空気により加温されて前記排気路８において取り込んだ水分を放出し、この後、排気路８側に戻り、以後、前記排気路８における吸湿と吸気路７における放湿のサイクルを繰り返す。このため屋内の加湿を継続して行うことができる。
【００４１】
また、換気運転の場合、制御手段２２は、駆動手段１４による吸湿体１３の回転を停止すると共に熱源機１５を停止し、且つ弁２１を閉じた状態で、吸気手段９を運転して屋外空気を吸気路７を介して屋内に供給すると共に排気手段１０を運転して屋内の空気を排気路８を介して屋外に排出する。この換気運転時には吸湿体１３の回転が停止するので、加湿運転時に行われていた吸湿体１３による吸湿及び放湿がなされず、すなわち加湿を伴わない屋内の換気がなされる。
【００４２】
そして、この換気運転時には、制御手段２２は、常時、屋外温度検出手段２５により吸気路７を流れる屋外空気の温度を検出すると共に、屋内温度検出手段２６により排気路８を流れる屋内空気の温度を検出し、これら屋外温度検出手段２５で検出した屋外空気温度及び屋内温度検出手段２６により検出した屋内空気温度に基づいて、吸気手段９により温水熱交換器１６に供給される空気の温度を推定して検知し、該検知温度が所定温度（例えば０℃）よりも高い場合には開閉弁２４を閉じ且つ前記所定温度以下の場合には開閉弁２４を開くよう設定されている。すなわち、本実施形態では、屋外温度検出手段２５、屋内温度検出手段２６、及び制御手段２２により、換気運転時において吸気手段９により温水熱交換器１６に供給される空気の温度を検知する温度検知手段が構成されている。
【００４３】
換気運転時において前記検知温度が所定温度以下の場合に開閉弁２４が開かれると、吸気手段９により屋内空気が連通路２３を介して吸気路７に取り込まれ、この屋内空気が吸気路７を流れる空気と混合される。すなわち、外気吸込口６から吸い込まれた吸気路７を流れる低温の空気は、連通路２３から供給された高温の屋内空気と混合されて、温水配管１７等の凍結が生じない比較的温度の高い空気となり、この後、温水熱交換器１６を通過する。従って、吸気路７を流れる低温の屋内空気による冷却によって温水配管１７内の水が凍結して温水配管１７や温水熱交換器１６の破損が生じることを防止できる。なお、換気運転時において屋外空気の温度が所定温度よりも高い場合には開閉弁２４が閉じられるため、通常通り換気運転を行うことができる。
【００４４】
このように本実施形態のデシカント空調装置は、換気運転時において吸気手段９により温水熱交換器１６に供給される空気の温度が所定温度以下になった場合に、連通路２３に設けられた開閉弁２４を開いて連通路２３から吸気路７に屋内空気を供給することで、温水配管１７内の水の凍結を防止できる。このため、温水熱交換器を加熱して凍結を防止するものと比較してランニングコストの増加を抑えることができる。しかも、吸気手段９による屋外空気の屋内への供給は継続して行うことができるため、換気能力の低下を抑えることができる。
【００４５】
また、本実施形態のように吸気手段９が吸気路７の連通路２３よりも下流側に設けられ、連通路２３が外気吸込口６よりも吸気手段９に近い位置に存在すると、吸気手段９を駆動したときに連通路２３から屋内空気を吸い込む量が増す。このため外気吸込口６から吸い込まれた吸気路７を流れる低温の空気に、連通路２３から供給された高温の屋内空気を多量に混合させ、これにより温水熱交換器１６に供給される空気を温水配管１７等の凍結が生じない程度の温度にまでより確実に高めることができる。
【００４６】
また、換気運転時に開閉弁２４が開かれたときは外気吸込口６からの屋外空気の吸込量が減少気味になるが、この時には排気手段１０により屋内空気の排気がなされて屋内が負圧気味になり、この結果、外気吸込口６や住宅の隙間等を通じて屋外空気が屋内に供給される。従って住宅全体の換気量はあまり変化することはなく、十分な換気量を確保することができる。
【００４７】
また、本実施形態では、前記開閉弁２４の制御を行うにあたって検知する温水熱交換器１６に供給される空気の温度を、換気運転時において屋外温度検出手段２５で検出した温度と屋内温度検出手段２６で検出した温度に基づいて正確に検知できる。また、デシカント空調装置が屋内空気温度や屋外空気温度に基づいて換気運転と加湿運転の切換えを自動的に行うものである場合には、該デシカント空調装置が備えている屋外温度検出手段２５や屋内温度検出手段２６を有効に利用して温水熱交換器１６に供給される空気の温度を検知できるという利点もある。
【００４８】
なお、本実施形態では、連通路２３を吸気路７における屋外温度検出手段２５よりも下流側に設けたが、連通路２３は吸気路７における屋外温度検出手段２５よりも上流側と屋内とを連通させるものであってもよい。この例としては、図１の二点鎖線で示すように連通路２３′の一端開口を吸気路７におけるフィルター１１と屋外温度検出手段２５の間に設けることが挙げられる。このようにすると、換気運転時に連通路２３′の開閉弁２４が開かれた際に、屋外温度検出手段２５により、連通路２３から供給された屋内空気と混合された後の吸気路７を流れる空気の温度を検出し、この検出結果から吸気手段９により温水熱交換器１６に供給される空気の温度を正確に検知でき、制御手段２２により正確に開閉弁２４の開閉を制御できる。また、連通路２３はフィルター１１よりも上流側の外気吸込口６に開口させてもかまわない。
【００４９】
また、換気運転時において吸気手段９により温水熱交換器１６に供給される空気の温度を検知する温度検知手段は、例えば前記屋外温度検出手段２５単独、あるいは屋内温度検出手段２６単独で構成されるものであってもよい。さらにこの屋外温度検出手段２５や屋内温度検出手段２６は、屋外空気の温度や屋内空気の温度を検出できる位置に設けてあればよい。例えば屋外温度検出手段２５にあっては、外気吸込口６や、それ以外の屋外に露出する位置に設けることが挙げられる。また、屋内温度検出手段２６にあっては、内気吸込口４やそれ以外の屋内に露出する位置に設けることが挙げられる。また、温度検知手段として、吸気路７の顕熱交換器２０よりも下流側で且つ温水熱交換器１６よりも上流側に温度センサーを設けてもよい。また、これらの場合にも、連通路２３を吸気路７における屋外温度検出手段２５よりも上流側と屋内とを連通させるものとしても構わない。
【００５０】
（参考例）次に上記実施形態とは異なる参考例を示す。なお上記実施形態と同一の構成については同一の番号を付与し、重複する説明は省略する。
【００５１】
図３に示す本参考例のデシカント空調装置は除湿型であって、上記実施形態における加湿運転に代えて、屋内を換気する共に屋外から屋内に供給される空気を吸湿して屋内を除湿する除湿運転を行えるようにしたものである。
【００５２】
除湿運転時には屋外から屋内に供給される空気が吸湿体１３により吸湿されることで除湿が行われるものであり、これを実現するために温水熱交換器１６は排気路８における吸湿体１３よりも上流側に設けられている。顕熱交換器２０の排気路８側は排気路８における温水熱交換器１６よりも上流側に設けられている。また、連通路２３は排気路８の温水熱交換器１６よりも上流側を屋内に連通させるものであって、図３の例では連通路２３の一端開口は排気路８における温水熱交換器１６よりも上流側で且つ顕熱交換器２０よりも下流側に設けられている。従って、当該連通路２３に設けられた開閉弁２４を開いた状態で排気手段１０を運転することで、天井裏の屋内空気が連通路２３を介して排気路８に供給されるようになっている。
【００５３】
除湿運転の場合、制御手段２２は、開閉弁２４を閉じた状態で、吸気手段９を運転して屋外空気を吸気路７を介して屋内に供給すると共に排気手段１０を運転して屋内の空気を排気路８を介して屋外に排出し、また、弁２１を開いて熱源機１５を駆動すると共に駆動手段１４で吸湿体１３を低速で回転させる。
【００５４】
この除湿運転時において排気手段１０により内気吸込口４及びフィルター１２を介して排気路８に導入された屋内空気は、顕熱交換器２０を通過し、この後、温水熱交換器１６を通過し、この際に温水熱交換器１６により温水配管１７を循環する温水と熱交換され、加熱される。次いでこの加熱された空気は低速で回転する吸湿体１３の排気路８に露出した部分を通過する。この際に吸湿体１３は加熱された空気によって加温され、これにより吸湿体１３は吸着した水分を排気路８を流れる空気に放出し、吸湿体１３の吸湿性能は再生される。そしてこの吸湿体１３から放湿がなされた排気路８を流れる空気は、内気吹出口５から屋外に排出される。
【００５５】
一方、除湿運転時において、吸気手段９により外気吸込口６及びフィルター１１を介して吸気路７に導入された屋外空気は、吸湿体１３の吸気路７に露出した部分を通過して除湿される。そして、顕熱交換器２０で排気路８を流れる空気と熱交換され、この後、外気吹出口３から屋内に送り出され、これによって屋内が除湿されると共に換気される。この除湿運転時における吸湿体１３も上記実施形態における吸湿体１３と同様に放湿と吸湿のサイクルを繰り返す。このため屋内の除湿を継続して行うことができる。
【００５６】
また、換気運転時における制御手段２２は、常時、屋外温度検出手段２５により吸気路７を流れる屋外空気の温度を検出すると共に、屋内温度検出手段２６により排気路８を流れる屋内空気の温度を検出し、これら屋外温度検出手段２５で検出した屋外空気温度及び屋内温度検出手段２６により検出した屋内空気温度に基づいて、排気手段１０により温水熱交換器１６に供給される空気の温度を推定して検知し、該検知温度が所定温度（例えば０℃）よりも高い場合には開閉弁２４を閉じ且つ前記所定温度以下の場合には開閉弁２４を開くよう設定されている。
【００５７】
このため換気運転時において前記検知温度が所定温度以下の場合に開閉弁２４が開かれると、排気手段１０により屋内空気が連通路２３を介して排気路８に取り込まれ、この屋内空気が排気路８を流れる空気と混合される。従って、内気吸込口４から吸い込まれた空気は、顕熱交換器２０で吸気路７を流れる低温の空気と熱交換され氷点下に達したとしても、この後、連通路２３から供給された高温の屋内空気と混合されて、温水配管１７等の凍結が生じない比較的温度の高い空気となり、この後、温水熱交換器１６を通過することとなる。このため、排気路８を流れる低温の空気による冷却によって温水配管１７内の水が凍結して温水配管１７や温水熱交換器１６の破損が生じることを防止できる。
【００５８】
このように本参考例のデシカント空調装置は、換気運転時において排気手段１０により温水熱交換器１６に供給される空気の温度が所定温度以下になった場合に、連通路２３に設けられた開閉弁２４を開いて連通路２３から排気路８に屋内空気を供給することで、温水配管１７内の水の凍結を防止できる。このため、温水熱交換器を加熱して凍結を防止するものと比較してランニングコストの増加を抑えることができる。しかも、排気手段１０による屋内空気の排出は継続して行うことができるため、換気能力の低下を抑えることができる。なお、本参考例では、連通路２３を顕熱交換器２０よりも下流側に設けたが、上流側に設けてもよいものとする。
【符号の説明】
【００５９】
７  吸気路
８  排気路
９  吸気手段
１０  排気手段
１３  吸湿体
１４  駆動手段
１６  温水熱交換器
２２  制御手段
２３  連通路
２４  開閉弁
２５  屋外温度検出手段
２６  屋内温度検出手段
【図１】
0005547524.tif 000002
【図２】
0005547524.tif 000003
【図３】
0005547524.tif 000004